(57)【要約】【課題】移動式クレーンにおいて、「低空頭空間」での作業時にはテンションメンバーを上部旋回体の後方に傾斜させた状態にすることで、上方の高さ制限がある「低空頭空間」での作業も行うことができる移動式クレーンを提供する。【解決手段】本発明は、上部旋回体４の上部に、ブーム６と、テンションメンバー１１を有し、且つブーム６を起伏させるガントリ９とが配備されている移動式クレーン１において、上方に高さ制限がある空間である「低空頭空間」にてクレーン作業を行うにあたっては、テンションメンバー１１を、上部旋回体４の後方に傾斜させた状態にして、ガントリ９の高さを、低空頭空間のクレーン作業の最小ブーム角にした際におけるブーム６の高さと同じまたはより低い位置に設定可能な構成とされている。【選択図】図１
2018131333.tif 000002
【特許請求の範囲】
【請求項１】
上部旋回体の上部に、ブームと、テンションメンバーを有し、且つ前記ブームを起伏させるガントリとが配備されている移動式クレーンにおいて、
上方に高さ制限がある空間である「低空頭空間」にてクレーン作業を行うにあたっては、
前記テンションメンバーを、前記上部旋回体の後方に傾斜させた状態にして、
前記ガントリの高さを、前記低空頭空間のクレーン作業の最小ブーム角にした際における前記ブームの高さと同じまたはより低い位置に設定可能な構成とされ、
前記テンションメンバーは、少なくとも第１部材と、前記第１部材を収容可能な第２部材であって前記第１部材が挿通される筒状部を含む第２部材と、を有する複数段の構造からなり、前記通常クレーン作業時の前記ガントリの高さと、前記低空頭空間のクレーン作業時の前記ガントリの高さを、自在に切換可能とされた伸縮自在のテレスコピック構造とされる
ことを特徴とする移動式クレーン。
【請求項２】
前記テンションメンバーは、前記第２部材を収容可能な第３部材であって前記第２部材が挿通される筒状部を含む第３部材を更に有し、
前記第１部材が前記第２部材から引き出されるとともに前記第２部材が前記第３部材から引き出されると、前記テンションメンバーが前記上部旋回体に対して略直立し、通常のクレーン作業が可能な状態とされ、
前記第１部材が前記第２部材から引き出されるとともに前記第２部材が前記第３部材に収容されると、前記テンションメンバーが前記上部旋回体の後方に傾斜し、前記低空頭空間におけるクレーン作業が可能とされ、
前記第１部材が前記第２部材に収容されるとともに前記第２部材が前記第３部材に収容されると、前記テンションメンバーが前記上部旋回体の上部に略水平に載置され、前記ガントリが格納状態とされる、
ことを特徴とする請求項１に記載の移動式クレーン。
【請求項３】
前記低空頭空間にてクレーン作業を行う際には、
前記テンションメンバーとして低空頭作業用の短尺テンションメンバーを取り付けて、
当該短尺テンションメンバーを、前記上部旋回体の後方に傾斜させた状態にして、
前記ガントリの高さを、前記ブームの高さと同じまたはより低い位置に維持可能な構成とされている
ことを特徴とする請求項１または２に記載の移動式クレーン。
【請求項４】
前記上部旋回体に、前記短尺テンションメンバーを取り付ける取付部が設けられており、
前記取付部は、前記「低空頭空間」にてクレーン作業時に、前記短尺テンションメンバーに作用する引張力の方向を向き、且つ当該取付部には曲げ力がかからない形状とされている
ことを特徴とする請求項３に記載の移動式クレーン。
【請求項５】
前記ガントリの高さを、前記ブームの高さより低い位置に維持可能な構成とされている
ことを特徴とする請求項１〜４のいずれかに記載の移動式クレーン。
【発明の詳細な説明】
【技術分野】
【０００１】
本発明は、上方に高さ制限がある空間である「低空頭空間」でクレーン作業が行える移動式クレーンに関する。
【背景技術】
【０００２】
クローラクレーンなどに代表される移動式クレーンは、例えば、数メートルから数十メートルに及ぶ長いブームを備え、このブームに備えられたフック装置を用いて様々な荷物を吊下する作業（クレーン作業）を行ったり、フック装置に代えてバケットを取り付けて地盤の土壌を掘り起こす掘削作業（バケット作業）を行うことがある。このようなクレーン作業などは、一般的に、上方に高さ制限がない空間で行われる。
【０００３】
上記のクレーン作業で用いられる移動式クレーンとしては、例えば、特許文献１に開示されたものがある。特許文献１の図６に示すように、クレーン作業者が乗り込むキャブなどを備えた上部旋回体と、上部旋回体を旋回自在に下側から支持すると共に、走行を行う下部走行体と、を備えている。その上部旋回体上には、様々な荷物を吊下する作業（クレーン作業）に用いられるフック装置を、吊りロープを介して吊り下げる長いブームと、吊りロープを巻回するウインチと、ブームを起伏させるＡフレーム（ガントリ）が備えられている。
【０００４】
一方で、上方に高さ制限がある空間である「低空頭空間」でクレーン作業などを行う場合もある。上記の「低空頭空間」でのクレーン作業で用いられる移動式クレーンとしては、例えば、特許文献２に開示されたものがある。特許文献２には、低空頭空間でクレーン作業などを行うことを目的とした専用の移動式クレーンが開示されている。この低空頭空間専用のクレーンは、同文献の図１（ｂ）、図２などに示すように、キャブ、ウインチなどを備えた上部旋回体の上部に、略水平に配置され、且つその水平からやや斜め前方に起伏させることが可能となっているブームを備え、高架下などの高さ制限のある空間でのクレーン作業を可能としている。
【先行技術文献】
【特許文献】
【０００５】
【特許文献１】特開２００３−８１５７９号公報
【特許文献２】特開平８−２８２９７２号公報
【発明の概要】
【発明が解決しようとする課題】
【０００６】
ところで、近年では、数十年前に建設された鉄道の高架や橋梁等の橋脚の老朽化が顕在化しており、それらの補強工事が必要となってきている。それらの補強工事を行う場合、高架や橋梁の下側、つまり低空頭（上方の高さ制限がある）現場で作業することになる。しかしながら、高架や橋脚の補強工事の現場では高さ制限があるが故に、例えば特許文献１に開示のような長いブームを用いると、その長い分最少作業半径が大きくなってしまう。その結果、定格総荷重が小さくなってしまうこととなる。
【０００７】
また、長いブームを用いると、移動式クレーン（クローラクレーン）の専有面積が大きくなってしまうことから、橋脚間の狭い範囲では作業できなくなるケースが生じる虞がある。例えば、場所打ち杭を打つ工法のひとつに、全旋回掘削機を使用する場合があるが、その自重は重く、移動のために掘削機を吊り上げるには、作業半径を小さくする必要があるが、上述のように高さに制約を受けている場合、掘削機を吊り上げることができないケースが生じてくる。
【０００８】
そのため、本明細書の図２に示すように、一般に多く用いられている移動式クレーンの下部ブーム（上部旋回体に直接取り付けられるブーム）にコンパクトな上部ブームを取り付けて、ブーム全長を短くした機械が存在している。上記、一般に用いられている移動式クレーンに特殊な上部ブームを装着すれば、例えば本明細書の図２に示すように、地面（床面）からの高さ「Ｈ」ｍに高架等の障害物のある作業現場でも、作業半径「Ｒ１」ｍまでブームを起伏できるので、重量作業可能である。なお、ブームを長くすると、作業半径を「Ｒ２」ｍ以下に短くとれないので、結果的に重量物が吊れなくなってしまう。
【０００９】
ところが、上記のような特殊な上部ブームを付けても、移動式クレーン後方に設置されているガントリの地面（床面）からの高さが「Ｈ１」ｍと、地面からの障害物の高さ「Ｈ」ｍより高いと、移動式クレーンを完全に作業現場内に入れて作業することができない。すなわち現状では、作業現場によっては、移動式クレーンの前側部分のみを高さ制限のある作業現場に進入させてクレーン作業をするしかできなかった。
【００１０】
このような、移動式クレーンの前側部分のみを突っ込ませてクレーン作業をする状況の場合、移動式クレーンを操作するキャブ内のオペレータは、細心の注意を払って作業を行っているのではあるが、後方（オペレータの背後）に位置しているガントリを直視できないことから、ガントリの存在を忘れてしまう可能性がある。その忘れた状況で移動式クレーンを旋回させてしまうと、ガントリを高架等の障害物に接触させてしまう事故を引き起こしてしまうことがある。例えば、鉄道が敷かれている近傍でのクレーン作業では、鉄道に関する電線等を切断してしまう可能性もある。
【００１１】
上記の問題に対する回避方法としては、例えば、特許文献２に開示のような、ブームが略水平に配置された低空頭空間専用の特殊な移動式クレーンを採用することが考えられる。しかしながら、このような特殊なクレーンでは、低空頭空間での作業が終わってしまえば、低空頭空間専用ではブーム長さが短すぎることで、通常のクレーン作業（高さ制限のない空間での作業）には使えない、すなわち一般の移動式クレーンで作業する方が高効率であることから、低空頭空間専用の移動式クレーンの稼働率が下がってしまい、作業コストが嵩むこととなる。このような理由から、低空頭空間専用の移動式クレーンを新たに別に用意することは、現実的ではないと考える。
【００１２】
また、ガントリを単に低くした特殊なクレーンを採用することも考えられるが、通常のクレーン作業では、長尺のブームを装着することがあるため、長尺のブームを装着して通常のクレーン作業を行う場合、ガントリが低ければその分、ガントリにかかる荷重、長尺のブームやクレーン本体に掛かる反力が大きくなるので、長いブームを引き起こすことは困難であり、移動式クレーンの強度に対する問題が発生する虞がある。
【００１３】
上記したように、ガントリの高さが低い特殊な移動式クレーンや、特許文献２に開示のような移動式クレーンを、通常のクレーン作業に使うことは好ましくない。そこで、上記の問題を解決する方法を考慮すると、通常のクレーン作業に使用される移動式クレーンに、通常のクレーン作業時と、低空頭空間での作業時のそれぞれに対応するガントリをユニットごとに、作業毎に交換すればよいことが考えられる。
【００１４】
しかし、ガントリをユニットごと交換するには、起伏ワイヤロープの巻き替え作業や、重量物であるガントリを吊上げるために、別にクレーンを用意する必要があるので、交換作業が煩雑であり、且つ交換時間もかかり、さらには別のクレーンをチャーターする必要も出てくる、すなわちクレーンのレンタル費用がかかってしまうなどいった課題があり、ユニットの交換作業が大がかりなものとなってしまう虞がある。
【００１５】
ところで、クローラクレーンにおいては、自立できるブーム長を長くする、また、吊上能力を向上させるために、ガントリのピーク高さを高くする方法が取られている。理由としては、ガントリのピーク高さを高くすれば、ブームとガイケーブルとのなす角度を大きくすることができる。その結果、ブーム圧縮力及びガイケーブル張力を減ずることができるからである。なお、上記のガイケーブルは、ブームの先端部とガントリの先端部とを結ぶものである。
【００１６】
さて、従来より、ガントリを構成するテンションメンバー（後側脚部）が垂直に立っている。ここで、ガントリテンションメンバーが起立状態である理由を考える。まず、ガントリを構成するコンプレッションメンバー（前側脚部）を一定長さと仮定して考察すると、テンションメンバーを垂直からクローラクレーン後方に傾斜させていくと、ガントリのピーク位置が低くなることがわかる。
【００１７】
一方で、逆にテンションメンバーをクローラクレーン前方に傾斜させていくと、さらにピーク位置は高くなるのだが、クローラクレーンの構成上、テンションメンバーは上部旋回体（旋回フレーム）の最後端側に取り付けられているので、テンションメンバーの引張り力を、上部旋回体にスムーズに伝えることができなくなる。このようなことから、上部旋回体の強度を確保するために、上部旋回体の後端を後方へ伸ばすことが考えられるが、クローラクレーン本体の重量増及び、上部旋回体の後端における旋回半径の増加といった別の課題が生じてしまう虞がある。
【００１８】
上記の理由から、テンションメンバーは垂直に立っていることが一般であり、その結果、上部旋回体には垂直方向の引張り力しか、かからないこととなる。よって、テンションメンバーが細長い構造でも曲げがかからないので、十分な強度が得られており、その結果、上部旋回体の軽量化及び、上部旋回体の後端における旋回半径の縮小化が果たせている。
【００１９】
言い換えれば、一般的な上部旋回体のままで、テンションメンバーを前後方向のいずれかに傾斜させると、上部旋回体に形成されているテンションメンバー取付部に曲げ力がかかってしまい、その取付部が強度不足となり、破損してしまう虞がある。そこで本発明は、上記問題点に鑑み、移動式クレーンにおいて、「低空頭空間」での作業時にはテンションメンバーを上部旋回体の後方に傾斜させた状態にすることで、上方の高さ制限がある「低空頭空間」での作業も行うことができる移動式クレーンを提供することを目的とする。
【課題を解決するための手段】
【００２０】
上述の目的を達成するため、本発明においては以下の技術的手段を講じた。本発明のかかる移動式クレーンは、上部旋回体の上部に、ブームと、テンションメンバーを有し、且つ前記ブームを起伏させるガントリとが配備されている移動式クレーンにおいて、上方に高さ制限がある空間である「低空頭空間」にてクレーン作業を行うにあたっては、前記テンションメンバーを、前記上部旋回体の後方に傾斜させた状態にして、前記ガントリの高さを、前記低空頭空間のクレーン作業の最小ブーム角にした際における前記ブームの高さと同じまたはより低い位置に設定可能な構成とされ、前記テンションメンバーは、少なくとも第１部材と、前記第１部材を収容可能な第２部材であって前記第１部材が挿通される筒状部を含む第２部材と、を有する複数段の構造からなり、前記通常クレーン作業時の前記ガントリの高さと、前記低空頭空間のクレーン作業時の前記ガントリの高さを、自在に切換可能とされた伸縮自在のテレスコピック構造とされることを特徴とする。
【００２１】
好ましくは、前記テンションメンバーは、前記第２部材を収容可能な第３部材であって前記第２部材が挿通される筒状部を含む第３部材を更に有し、前記第１部材が前記第２部材から引き出されるとともに前記第２部材が前記第３部材から引き出されると、前記テンションメンバーが前記上部旋回体に対して略直立し、通常のクレーン作業が可能な状態とされ、前記第１部材が前記第２部材から引き出されるとともに前記第２部材が前記第３部材に収容されると、前記テンションメンバーが前記上部旋回体の後方に傾斜し、前記低空頭空間におけるクレーン作業が可能とされ、前記第１部材が前記第２部材に収容されるとともに前記第２部材が前記第３部材に収容されると、前記テンションメンバーが前記上部旋回体の上部に略水平に載置され、前記ガントリが格納状態とされるとよい。好ましくは、前記低空頭空間にてクレーン作業を行う際には、前記テンションメンバーとして低空頭作業用の短尺テンションメンバーを取り付けて、当該短尺テンションメンバーを、前記上部旋回体の後方に傾斜させた状態にして、前記ガントリの高さを、前記ブームの高さと同じまたはより低い位置に維持可能な構成とされているとよい。好ましくは、前記上部旋回体に、前記短尺テンションメンバーを取り付ける取付部が設けられており、前記取付部は、前記「低空頭空間」にてクレーン作業時に、前記短尺テンションメンバーに作用する引張力の方向を向き、且つ当該取付部には曲げ力がかからない形状とされているとよい。
【００２２】
好ましくは、前記ガントリの高さを、前記ブームの高さより低い位置に維持可能な構成とされているとよい。
【発明の効果】
【００２３】
本発明によれば、移動式クレーンにおいて、「低空頭空間」での作業時にはテンションメンバーを上部旋回体の後方に傾斜させた状態にすることで、上方の高さ制限がある「低空頭空間」での作業も行うことができる。
【図面の簡単な説明】
【００２４】
【図１】本発明にかかる移動式クレーンの概略図であって、取り替え式とされたテンションメンバーを有するガントリを模式的に示した図であり、「低空頭空間」での作業時におけるガントリの位置及び、格納時におけるガントリの位置を示した図である。
【図２】本発明にかかる移動式クレーンの概略を模式的に示した図である。
【図３】テレスコピック構造とされたガントリを模式的に示した図であり、（ａ）は、格納時におけるガントリの位置を示した図であり、（ｂ）は、「低空頭空間」での作業時におけるガントリの位置を示した図であり、（ｃ）は、上方の高さ制限がない空間での作業時におけるガントリの位置を示した図である。
【発明を実施するための形態】
【００２５】
以下、図面を参照しながら、本発明の実施形態を説明する。本実施形態においては、移動式クレーン１のうち、ラチスブーム式クローラクレーンを例に挙げて説明する。なお、以下に説明する実施形態は、本発明を具体化した一例であって、その具体例をもって本発明の構成を限定するものではない。従って、本発明の技術的範囲は、本実施形態に開示内容だけに限定されるものではない。また、以下の説明では、同一の部品には同一の符号を付してある。それらの名称および機能も同じである。従って、それらについての詳細な説明は繰返さない。
【００２６】
図１〜図３に示すように、本発明は、「低空頭空間」でのクレーン作業で用いられるクローラクレーン１を対象としている。ここで例えばビルなどの建築物の作業現場といった、クレーン作業において上方に高さ制限がない空間で行われる作業、つまり一般的なクレーン作業のことを、以降の説明においては、単に、通常のクレーン作業と呼ぶこととする。
【００２７】
なお、この通常のクレーン作業においては、ガントリを構成するテンションメンバー（後側脚部）が垂直に立っている状態である。まず、その対象となるクローラクレーン１の基本的な装置構成について、図２を参照しながら説明する。なお、この図２に関して、クローラクレーン１の構成の一部（例えば、フック装置、吊りロープ、起伏ロープなど）を省略して描いている。
【００２８】
図２に示すように、クローラクレーン１（以下、単にクレーン１ということもある）は、上部旋回体４と、上部旋回体４を旋回自在に下から支持するとともに、走行を行う下部走行体２と、を備えている。また、上部旋回体４の幅方向中央の前方には、フック装置を吊りロープを介して吊り下げるブーム６が備えられている。なお、本明細書では、下部走行体２の走行方向と上部旋回体４に備えられたブーム６の軸長方向が一致する位置、すなわちクローラクレーン１の基準位置（ホームポジション）において、上部旋回体４から伸びるように配備されたブーム６及びキャブ５側をクローラクレーン１の前側とし、上部旋回体４に搭載されているガントリ９及びカウンタウェイト８側をクローラクレーン１の後側とする。また、上部旋回体４の幅方向一方側をクローラクレーン１の右方向とし、上部旋回体４の幅方向他方側をクローラクレーン１の左方向とする。これは、キャブ５に搭乗したオペレータから見た方向と一致する。
【００２９】
クレーン１の下部走行体２は、金属製の帯体を環状に形成してなる無限軌道（クローラ３）を左右方向の両端にそれぞれ備え、このクローラ３により地面を走行可能とされている。この下部走行体２の中央上部には、上部旋回体４を旋回自在に下から支持し、且つ上部旋回体４を上下方向軸心回りに旋回させる旋回手段が搭載されている。上部旋回体４は、鋼材で形成され、前後方向の長さが、左右方向の幅より長い板状の枠体である。上部旋回体４の後部の左右両側には、カウンタウェイト８が配備されている。
【００３０】
さらに、上部旋回体４の幅方向一方側（右側）の前方には、内部が空間とされた筐体とされ、その内部にブーム６を操作する操作ユニットが配備されたキャブ５（運転室）が搭載されている。キャブ５の内部の座席に着座したオペレータは、操作部を操作することによりクレーン操作を行う。また、キャブ５の後方には、エンジンやエンジンに関する付帯機器などの駆動部がガード部材内に格納されている。駆動部は、クレーン１の機能（クローラ３の走行、ウインチ７の駆動、ブーム６及びガントリ９の起伏など）を動作させるものである。なお、駆動部には、エンジンのみならず、冷却装置、油圧ポンプ、油圧モータ、コントロールバルブ、作動油タンクなどの付帯機器などが含まれている。
【００３１】
一方、上部旋回体４の幅方向中央前側には、起伏自在のブーム６が配備されている。そのブーム６には、吊荷を吊るためのフック装置が、吊りロープを介して先端から吊り下げられている。また、ブーム６の先端には、起伏ロープが掛回されている。ところで、図２に示すように、本実施形態においては、通常のクレーン作業で用いられるクレーン１の上部旋回体４に直接取り付けられている下部ブーム６ａだけを残し、その下部ブーム６ａの前端側にコンパクト（短尺）な上部ブーム６ｂを取り付けた、ブーム６全長を短くしたクレーンである。この上部ブーム６ｂは、上方に高さ制限がある空間である「低空頭空間」でクレーン作業に用いられる特殊なブームである。
【００３２】
ブーム６の後方の上部旋回体４には、ウインチ７が前後方向に並ぶように複数搭載されている。これらウインチ７は、吊りロープの巻き取りや繰り出しを行って、フック装置の引き上げや降下を行ったり、起伏ロープの巻き取りや繰り出しを行って、ブーム６の後方に取り付けられたガントリ９を介して、ブーム６の引き起こしや格納を行う。すなわち、ブーム６は、その先端部とガントリ９先端部との間にかけ渡されたガイライン及び起伏ロープによって起伏自在とされている。
【００３３】
図１、図２に示すように、ガントリ９は、ブーム６を引き起こすとともに、そのブーム６の後方から支持する部材である。ガントリ９は、上部旋回体４の上部に格納される際には、水平方向を向くように傾倒される。つまり、ガントリ９は、格納時に上部旋回体４上に倒れこんで収容される構成とされている。このガントリ９には、起伏ロープが掛回されている。
【００３４】
ガントリ９は、コンプレッションメンバー１０（前側脚部）とテンションメンバー１１（後側脚部）とを有している。コンプレッションメンバー１０は、左右方向に所定の間隔で配備された一対の長尺の棒材と、その棒材の間を連結する部材とからなる枠体である。コンプレッションメンバー１０は、基端が上部旋回体４に回動自在に取り付けられていて、起伏自在となっている。
【００３５】
テンションメンバー１１は、コンプレッションメンバー１０に隣接配備された、一対の長板状の部材である。テンションメンバー１１は、折りたたみ自在の部材であって、コンプレッションメンバー１０が引き起こされたときは伸長されて略起立状態とされ、格納時には略水平方向を向くように折りたたまれるようになっている。テンションメンバー１１は、基端が上部旋回体４に回動自在に取り付けられている。
【００３６】
コンプレッションメンバー１０とテンションメンバー１１は、それぞれの上端において、互に回動自在に連結されている。図２中の仮想線（一点破線）に示すように、コンプレッションメンバー１０、テンションメンバー１１ともに、略水平に寝かされた状態が、ガントリ９の格納時の姿勢である。また、図２中の仮想線（二点破線）に示すように、コンプレッションメンバー１０が上部旋回体４に対して後方上向きに傾斜した状態とされ、且つそれを支持するテンションメンバー１１が上部旋回体４に対して略垂直に立設された状態、略直角三角形の形状の状態が、通常のクレーン作業の姿勢である。
【００３７】
なお、コンプレッションメンバー１０は、ガイライン及び起伏ロープを介して、ブーム６を引き起こす際、及び引き起こした際に作用する圧縮荷重を受ける部材である。また、テンションメンバー１１は、ガイライン及び起伏ロープを介して、ブーム６を引き起こす際、及び引き起こした際に作用する引張荷重を受ける部材である。ところで、本発明は、クレーン作業において上方に高さ制限がない空間での作業、すなわち通常のクレーン作業で用いられるクレーン１において、高架下などの上方に高さ制限がある空間である「低空頭空間」にクレーン１全体を進入させて、その中でクレーン作業ができるように、それに適切な高さにすることができる構造を有するガントリ９を備えたクレーン１である。
【００３８】
図２に示すように、本発明のクレーン１に配備されているガントリ９は、高架下などの上方に高さ制限がある空間である「低空頭空間」にてクレーン作業を行うにあたっては、低空頭空間のクレーン作業の最小ブーム角αにした際におけるブーム６の床面からの高さＨ３に対し、テンションメンバー１１を、通常のクレーン作業時より、上部旋回体４の後方に傾斜させた状態にして、コンプレッションメンバー１０の床面からの高さＨ２を、ブーム６の高さＨ３と同じ、あるいはより低い位置に切換可能な構成とされている。
【００３９】
すなわち、本発明のクレーン１は、通常のクレーン作業時のコンプレッションメンバー１０をそのまま取り付けておき、そのコンプレッションメンバー１０を後方から支持するテンションメンバー１１の長さを可変とすることで、ガントリ９の高さを低くして、低空頭空間にてクレーン作業を行えるようにしている。また、本発明のクレーン１は、ガントリ９の高さを、ブーム６の高さより低い位置に維持可能な構成とされている。
【００４０】
なお、コンプレッションメンバー１０の形状及び寸法などの基本構成については、通常のクレーン作業時に使われるものであるので、詳細な説明は省略する。図１に示すように、例えば、通常のクレーン作業に対応した長尺のテンションメンバーと、低空頭空間の高さに対応した短尺のテンションメンバー１１を、少なくとも２種類以上設定しておき、通常のクレーン作業時には、長尺のテンションメンバーを用い、低空頭空間のクレーン作業には、短尺のテンションメンバー１１を用いるとよい。
【００４１】
つまり、通常のクレーン作業に用いる、長尺のテンションメンバーよりも短尺のテンションメンバー１１を取り付けて、短尺のテンションメンバー１１を通常のクレーン作業時より、上部旋回体４の後方に傾斜させた状態にして、コンプレッションメンバー１０（ガントリ９）の高さＨ２を、ブーム６の高さＨ３と同じ、あるいはより低い位置に維持可能な構成としてもよい。
【００４２】
通常のクレーン作業用の長尺のテンションメンバーに加えて、低空頭空間の高さに対応した短尺のテンションメンバー１１を用意しておくことで、短時間に、テンションメンバー１１の組み換えが可能となる。ところで、図１に示すように、上部旋回体４の上面側には、長尺のテンションメンバー乃至は短尺のテンションメンバー１１を取り付ける取付部１２が形成されている。
【００４３】
この取付部１２は、板状の部材であって、上部旋回体４から上方に突出するように、左右一対設けられている。その取付部１２の上端には、テンションメンバー１１の基端を回動自在に連結する連結孔が形成されている。この連結孔と、テンションメンバー１１の基端に形成されている連結孔とを合わせてピン２２を介して連結することで、テンションメンバー１１が基端を中心に回動して起伏するようになっている。
【００４４】
また、取付部１２は、長尺のテンションメンバー乃至は、短尺のテンションメンバー１１を引き起こした際に、そのどちらのテンションメンバー１１に作用する引張力の方向に対応する方向を向き、且つ当該取付部１２には曲げ力がかからずに、上部旋回体４に力が伝わる形状とされている。すなわち、取付部１２は、上端よりも基端が前後方向に長い、言い換えれば側面視で基端が幅広な形状（例えば、略三角形状）とされた板材である。
【００４５】
なお、テンションメンバー１１に作用する引張力とは、テンションメンバー１１が後方に傾斜した状態（上端が基端より後方となった状態）において、ガイライン及び起伏ロープにより、斜め後上方に引っ張られるようにかかる力のことである。取付部１２を上記の形状とすることで、上部旋回体４（旋回フレーム）の重量の増加、上部旋回体４の後端側の旋回半径の増加を極力抑えた、上部旋回体４の構成となる。
【００４６】
さて、図３（ａ）〜（ｃ）に示すように、テンションメンバー１１は、通常クレーン作業時のコンプレッションメンバー１０の高さと、低空頭空間のクレーン作業時のコンプレッションメンバー１０の高さを、自在に切換可能とされた伸縮自在のテレスコピック構造とされていてもよい。具体的には、テンションメンバー１１は、その全長をおよそ３等分した長さの、第１メンバー部材１１ａ、第２メンバー部材１１ｂ、第３メンバー部材１１ｃからなる３段構造とされていて、第１メンバー部材１１ａは第２メンバー部材１１ｂに収容され、第２メンバー部材１１ｂは第３メンバー部材１１ｃに収容される構成となっている。
【００４７】
ところで、テンションメンバー１１全体の長さ、幅などの基本構成については、通常のクレーン作業時に使われるものとほぼ同じであるので、詳細な説明は省略する。なお、ここでの長さは、テンションメンバー１１がほぼ直立状態で上部旋回体４上に立設された際における上下方向の長さを示す。また、幅は、テンションメンバー１１がほぼ直立状態で上部旋回体４上に立設された際における前後方向の長さを示す。
【００４８】
第１メンバー部材１１ａは、上記したテンションメンバー１１の約１／３の長さで且つ、所定の厚みを有する１本の平板材で構成されている。この第１メンバー部材１１ａの上端は、ピン２２を介してコンプレッションメンバー１０の上端に、回動自在に連結されている。第１メンバー部材１１ａが第２メンバー部材１１ｂ内に収容された状態のときは、その基端はピン２２を介して、第２メンバー部材１１ｂの基端に連結される。第１メンバー部材１１ａが引き出されると、その基端はピン２２を介して、第２メンバー部材１１ｂの上端に連結される。
【００４９】
第２メンバー部材１１ｂは、上記したテンションメンバー１１の約１／３の長さで且つ、所定の厚みを有する一対の平板材で構成されている。この一対の平板材は、所定の間隔を離して配備されていて、その間隔は第１メンバー部材１１ａの厚み（左右方向の長さ）とほぼ同じか、或いは、やや広い間隔である。この第２メンバー部材１１ｂは、上記の間隔を空けて、平板材を２本重ね合わせるように配備した構造となっているので、第１メンバー部材１１ａを挟み込むように収容することが可能となっている。
【００５０】
第２メンバー部材１１ｂが第３メンバー部材１１ｃ内に収容されているときは、上端がピン２２を介して第３メンバー部材１１ｃの上端に連結され、基端はピン２２を介して第３メンバー部材１１ｃの長手方向中途部に連結される。一方、第１メンバー部材１１ａのみが引き出されたとき、第２メンバー部材１１ｂは、上端がピン２２を介して第１メンバー部材１１ａの基端に連結され、基端はピン２２を介してそのまま第３メンバー部材１１ｃの長手方向中途部に連結される。
【００５１】
また、第２メンバー部材１１ｂが引き出されたときは、その上端がピン２２を介して第１メンバー部材１１ａの基端に連結され、基端はピン２２を介して第３メンバー部材１１ｃの上端に連結される。第３メンバー部材１１ｃは、上記したテンションメンバー１１の約１／３の長さで且つ、所定の厚みを有する一対の平板材で構成されている。この一対の平板材は、所定の間隔を離して配備されていて、その間隔は第２メンバー部材１１ｂの厚みとほぼ同じか、或いは、やや広い間隔である。
【００５２】
この第３メンバー部材１１ｃは、上記の間隔を空けて、平板材を２本重ね合わせるように配備した構造となっているので、第２メンバー部材１１ｂを挟み込むように収容することが可能となっている。第３メンバー部材１１ｃの基端は、ピン２２を介して上部旋回体４に設けられている取付部１２に、回動自在に連結されている。
【００５３】
第２メンバー部材１１ｂを収容しているときの第３メンバー部材１１ｃの上端は、ピン２２を介して第２メンバー部材１１ｂの上端に連結される。一方、第２メンバー部材１１ｂが引き出されたときの第３メンバー部材１１ｃの上端は、ピン２２を介して第２メンバー部材１１ｂの基端に連結される。なお、各メンバー部材の連結位置を変更可能としていてもよい。この場合、テンションメンバー１１の長さを作業現場の高さに応じて、調整することが可能となる。
【００５４】
以上述べたテレスコピック構造に関しては、テンションメンバー１１が高さを切換できるテレスコピック構造であれば、構成する各メンバー部材１１ａ〜１１ｃの形状及び構成については特に限定はしない。例えば、第１メンバー部材１１ａを棒形状乃至は筒形状としておき、第２メンバー部材１１ｂを第１メンバー部材１１ａが収容可能な内部とされた筒形状としておき、さらに第３メンバー部材１１ｃを第２メンバー部材１１ｂが収容可能な内部とされた筒形状とした、テレスコピック構造としておいてもよい。また、例示した３段のテレスコピック構造でもよいし、２段構造・４段以上の構造など、複数段の構造としてもよい。さらに、テレスコピック構造の各メンバー部材１１ａ〜１１ｃは均等な長さである必要は無く、少なくとも各メンバー部材１１ａ〜１１ｃのうちの一つまたは複数の組み合わせの長さが、予め使用が想定される低空頭作業に適した長さとなるようにしておけばよい。
【００５５】
次に、テンションメンバー１１がテレスコピック構造とされた場合における、ガントリ９の起伏動作を、図３（ａ）〜（ｃ）を参照しながら、説明する。図３（ａ）は、ガントリ９の格納状態を示す。図３（ａ）に示すように、ガントリ９を構成するコンプレッションメンバー１０及びテンションメンバー１１は、左右両側のカウンタウェイト８間に、上部旋回体４の上部に略水平に載置された状態、すなわち寝かされた状態である。
【００５６】
このとき、コンプレッションメンバー１０は、上端が固定バー２０により格納状態を維持されている。また、テンションメンバー１１は、第１メンバー部材１１ａが第２メンバー部材１１ｂ内に収容され、その第２メンバー部材１１ｂが第３メンバー部材１１ｃ内に収容された状態である。また、コンプレッションメンバー１０を起伏動作させる伸縮シリンダ２１は、収縮した状態である。
【００５７】
そして、コンプレッションメンバー１０の上端に取り付けられている固定バー２０を外し、伸縮シリンダ２１を動作させて、コンプレッションメンバー１０を起こしてゆき、図３（ｂ）に示す状態にする。図３（ｂ）は、「低空頭空間」でのクレーン作業時におけるガントリ９の状態を示す。図３（ｂ）に示すように、コンプレッションメンバー１０は、斜め後上方に傾斜した状態である。また、テンションメンバー１１は、斜め後上方に傾斜状態であるが、コンプレッションメンバー１０よりやや起きた状態である。
【００５８】
ガントリ９は、上端（コンプレッションメンバー１０の上端とテンションメンバー１１の上端とが連結されている部分）がテンションメンバー１１の基端より後方に位置した、側面視で三角形状となっている。このとき、テンションメンバー１１は、基端を中心に前方に回動して起こされて、第１メンバー部材１１ａが第２メンバー部材１１ｂから引き出されている状態である。第１メンバー部材１１ａの基端と第２メンバー部材１１ｂの上端が、ピン２２を介して連結されている。一方、第２メンバー部材１１ｂは、第３メンバー部材１１ｃ内に収容された状態である。
【００５９】
つまり、第１メンバー部材１１ａと、第２メンバー部材１１ｂを収容する第３メンバー部材１１ｃが、ピン２２などを介して固定されて、１本のテンションメンバー１１となる。「低空頭空間」でのクレーン作業時におけるテンションメンバー１１の長さは、テンションメンバー１１の全長（通常のクレーン作業時の長さ）に対して、およそ２／３程度となっている。
【００６０】
このように、テンションメンバー１１の長さを切り換える、すなわち地面からのテンションメンバー１１の高さＨ２を、地面からのブーム６の高さＨ３より低くすることができるので、高架下など高さに制限がある空間（高さＨ）でも、クレーン１全体を作業現場に進入させてクレーン作業を行うことが可能となる（Ｈ２≦Ｈ）。続いて、通常のクレーン作業を行う場合、伸縮シリンダ２１をさらに動作させて、コンプレッションメンバー１０を起こしていき、図３（ｃ）に示す状態にする。
【００６１】
図３（ｃ）は、通常のクレーン作業時におけるガントリ９の状態を示す。図３（ｃ）に示すように、コンプレッションメンバー１０は、斜め後上方に傾斜した状態であるが、「低空頭空間」でのクレーン作業時におけるコンプレッションメンバー１０の傾きより起きた状態である。また、テンションメンバー１１は、ほぼ直立した状態である。ガントリ９は、上端がテンションメンバー１１の基端のほぼ真上に位置した、側面視で直角三角形状となっている。
【００６２】
このとき、テンションメンバー１１は、基端を中心に前方に回動してさらに起こされて、第１メンバー部材１１ａが第２メンバー部材１１ｂから引き出されるとともに、第２メンバー部材１１ｂも第３メンバー部材１１ｃから引き出された状態である（高さＨ１）。第１メンバー部材１１ａの基端と第２メンバー部材１１ｂの上端がピン２２を介して連結されるとともに、第２メンバー部材１１ｂの基端と第３メンバー部材１１ｃの上端がピン２２を介して連結されている。
【００６３】
つまり、第１メンバー部材１１ａと、第２メンバー部材１１ｂと、第３メンバー部材１１ｃが、ピン２２などを介してそれぞれ固定されて、１本のテンションメンバー１１となる。なお、ガントリ９を格納するには、上で述べた逆の手順、すなわち図３（ｃ）〜図３（ａ）の順に、格納動作を行うとよい。
【００６４】
このように、テンションメンバー１１をテレスコピック構造とすることで、長さをより簡便に変更することができるようになるので、地面からのガントリ９の高さＨ２を、地面からのブーム６の高さＨ３より低くすることができる。また、テンションメンバー１１をテレスコピック構造とすることで、様々な作業現場に応じた専用のテンションメンバーを用意する必要がなく、それぞれの作業現場に応じて容易且つ迅速に、ガントリ９の地面からの高さを切り換えることができる。
【００６５】
以上より、高架下など高さに制限がある空間（高さＨ）でも、クレーン１全体を作業現場に進入させてクレーン作業を行うことが可能となる（Ｈ２≦Ｈ）。以上述べたように、本発明のクレーン１は、地面からの高さを容易に変えることができる構成のガントリ９を配備しているので、高さ制限のない通常でのクレーン作業が行うことができるとともに、高さ制限のある「低空頭空間」でのクレーン作業も行うことができる。
【００６６】
つまり、高さを切り換えることのできるガントリ９を、上方の高さ制限がない作業現場で用いられる移動式クレーン１に備えるだけでよいので、「低空頭空間」専用のクレーンを別に用意しなくてもよく、１台のクレーン１で様々な状況のクレーン作業を行うことができ、クレーン１の稼働率が向上する。また、本発明のクレーン１を用いれば、「低空頭空間」でのクレーン作業時に、上方の障害物（高架橋等）との干渉を気にせず、安全にクレーン作業を行うことができる。
【００６７】
また、本発明の技術は、通常の移動式クレーン１に備えられたコンプレッションメンバー１０をそのまま使用することができるので、起伏ロープをドラムに巻き込む作業や、上部スプレッダ及び下部スプレッダを取り外す手間が不要となり、クレーン１の準備時間を短縮することができる。また、前述の準備作業に用いられる別のクレーンのチャーター費用の削減等も可能となる。
【００６８】
なお、今回開示された各実施形態は、すべての点で例示であって制限的なものではないと考えられるべきである。特に、今回開示された各実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【００６９】
例えば、移動式クレーン１を操作するキャブ５内のオペレータは、後方（オペレータの背後）に位置しているガントリ９を直視できないので、ガントリ９の存在を忘れてしまう可能性がある。このような状況を回避するため、ガントリ９が、通常のクレーン作業の使用になっている（テンションメンバー１１がほぼ直立状態）か、低空頭空間でのクレーン作業の使用になっている（テンションメンバー１１が傾斜状態）か、を検出するようにしておき、例えば通常のクレーン作業時に、ガントリ９が低空頭空間でのクレーン作業の使用になっている場合、その低空頭空間の使用のままでは大きな負荷がガントリ９にかかってしまい安全な作業が行えなくなるので、その前にオペレータに対して警告を発する安全装置を、クレーン１の制御装置などに備えておくとよい。
【００７０】
本発明を説明する上で、クローラクレーン１を例に挙げて説明したが、本発明の技術は（例えば、ラチスブーム式）ホイールクレーンなど、種々の移動式クレーンに適用可能である。また、テンションメンバー１１に関し、高さを自在に切換できる機能、その高さを切り換えた状態を維持できる形状及び構成あれば、特に限定はしない。たとえば、リンク構造とされていてもよい。
【符号の説明】
【００７１】
１  移動式クレーン（クローラクレーン）
２  下部走行体
３  クローラ
４  上部旋回体
５  キャブ
６  ブーム
７  ウインチ
８  カウンタウェイト
９  ガントリ
１０  コンプレッションメンバー（圧縮部材）
１１  テンションメンバー（引張部材）
１１ａ  第１メンバー部材
１１ｂ  第２メンバー部材
１１ｃ  第３メンバー部材
１２  取付部
２０  固定バー
２１  伸縮シリンダ
２２  ピン
【図１】
2018131333.tif 000003
【図２】
2018131333.tif 000004
【図３】
2018131333.tif 000005